(57)【要約】【課題】比較的に重量のあるディスプレイであっても安定的に保持することができ、ユーザが横になった状態で映像視聴を行うことのできる最適な位置にディスプレイを配置することのできるディスプレイ支持装置を提供する。【解決手段】弧状に曲がった形状で先端側にディスプレイを保持する第１アーム１０と、この第１アーム１０の根元部を連結する連結部２２、この連結部２２から左右水平方向に伸びる第１フレーム２４、および、水平方向の前記第１アームが伸びる側に伸びる第２フレーム２５を有する土台２０とを備え、連結部２２は、第１アーム１０を鉛直軸を中心とした回転方向に回動可能とし、且つ、第１アーム１０に沿った前後方向に屈曲可能な構成とした。【選択図】図３
2009047890.tif 000002
【特許請求の範囲】
【請求項１】
ディスプレイを支持するディスプレイ支持装置であって、
弧状に曲がった形状で先端側にディスプレイを保持する保持部が設けられた第１アームと、
この第１アームの根元部が連結される連結部、該連結部を中央に左右水平方向に伸びる第１フレーム、および、水平方向の前記第１アームが伸びる側に伸びる第２フレームを有する土台と、
を備え、
前記連結部は、前記第１アームを鉛直軸を中心とした回転方向に回動可能とし、且つ、前記第１アームに沿った前後方向に屈曲可能な構成であることを特徴とするディスプレイ支持装置。
【請求項２】
前記連結部には、前記第１アームの前方への屈曲に対して一定位置で停止するようにストッパーが設けられていることを特徴とする請求項１記載のディスプレイ支持装置。
【請求項３】
前記第１アームには、前記保持部のある側から反対側に伸びる第２アームが設けられ、この第２アームの先端にバランス錘が付加可能にされていることを特徴とする請求項１または２に記載のディスプレイ支持装置。
【請求項４】
ディスプレイを支持するディスプレイ支持装置であって、
長さ変更が可能であり部屋の床面と天井面との間に突っ張って固定される支柱と、
該支柱に根元部が固定され先端側に前記ディスプレイを保持する保持部を有したアームと、
を備えたことを特徴とするディスプレイ支持装置。
【請求項５】
人の目又は口の開閉を検出する検出手段と、
該検出手段の検出に基づいて前記ディスプレイの受信チャンネルの切り換えおよび／または音量調整を行う操作手段と、
を備えていることを特徴とする請求項１〜４の何れか１項に記載のディスプレイ支持装置。
【請求項６】
ユーザに装着させるゴーグルを備え、
前記検出手段は、
前記ゴーグルの第１の縁部に設けられユーザの目の位置へ赤外線を照射する赤外線発光部と、
前記ゴーグルの第２の縁部に設けられユーザの目の位置から赤外線の反射光量を検出する光センサと、
からなり、
前記操作手段は、
前記光センサの検出出力に応じてリモコン信号を生成する制御回路と、
前記リモコン信号を出力する信号出力部と、
から構成されることを特徴とする請求項５記載のディスプレイ支持装置。
【請求項７】
前記検出手段は、
ディスプレイのフレームに取り付け可能で当該ディスプレイの正面側に赤外線を照射する赤外線発光部と、
ディスプレイのフレームに取り付け可能で当該ディスプレイの正面側から赤外線の反射光量を検出する光センサと、
から構成されることを特徴とする請求項５記載のディスプレイ支持装置。
【請求項８】
前記検出手段は、
ディスプレイのフレームに取り付け可能で当該ディスプレイの正面側を映像として取り込む映像取込手段と、
前記映像取込手段により取り込まれた映像から人の口又は目の位置、並びに、この口又は目の開閉動作を認識する画像認識手段と、
から構成されることを特徴とする請求項５記載のディスプレイ支持装置。
【請求項９】
ディスプレイを支持するディスプレイ支持装置であって、
弧状に曲がった形状で先端側にディスプレイを保持する保持部が設けられた第１アームと、
この第１アームの根元部が連結される連結部、該連結部を中央に左右水平方向に伸びる第１フレーム、および、水平方向の前記第１アームが伸びる側に伸びる第２フレームを有する土台と、
前記第１アームから前記保持部の反対側に伸びるとともに先端にバランス錘を付加可能な第２アームと、
を備え、
前記連結部は、前記第１アームを鉛直軸を中心とした回転方向に回動可能で、且つ、前記第１アームに沿った前後方向に屈曲可能であるとともに、前記第１アームの前方への屈曲を一定位置で停止させるストッパーを有し、
さらに、
ユーザに被らせるゴーグルと、
該ゴーグルの第１の縁部に設けられユーザの目の位置へ赤外線を照射する赤外線発光部、および、前記ゴーグルの第２の縁部に設けられユーザの目の位置から赤外線の反射光量を検出する光センサを有し、この光センサの出力に基づき人の目の開閉動作を検出する検出手段と、
前記検出手段の検出結果に応じてリモコン信号を生成する制御回路、および前記リモコン信号を出力する信号出力部を有し、前記リモコン信号を出力することで前記ディスプレイの受信チャンネルの切り換えおよび／または音量の切り換えを行う操作手段と、
を備えていることを特徴とするディスプレイ支持装置。
【発明の詳細な説明】
【技術分野】
【０００１】
この発明は、フラットパネルディスプレイを支持するディスプレイ支持装置に関する。
【背景技術】
【０００２】
横になった状態で、視線の先にディスプレイ画面がくるように、適度な距離および適度な角度にディスプレイを配置して、テレビ視聴等を行いたいという要望がある。
【０００３】
また、本発明に関連する従来技術として、次のような技術の開示があった。例えば、特許文献１には、ベッド横からベッドの中央上部まで伸びるアームを設け、このアームの先端にディスプレイを保持させるとともに、このアームをベッドの足元側から頭部側まで回動させることが可能な構成が開示されている。また、特許文献２には、鉛直起立したスタンド台に水平方向に伸びるアームを設け、このアームの先端にディスプレイを保持させるディスプレイ支持装置が開示されている。また、特許文献３には、ゴーグル型のディスプレイにおいて視線の動きを検知してディスプレイの操作を可能とした装置が開示されている。
【特許文献１】特開２００６−２９６４７３号公報
【特許文献２】特開２００６−１２９４０９号公報
【特許文献３】特開２０００−２３０６５号公報
【発明の開示】
【発明が解決しようとする課題】
【０００４】
近年、フラットパネルディスプレイ（以下、ＦＰＤと記す）の大型化および低コスト化が進み、中型で比較的重量のあるＦＰＤについてもアームで支持して横になった状態で使用したいという要求がある。
【０００５】
しかしながら、引用文献１のディスプレイ支持構造では、ディスプレイの重量が大きくなると、アームでディスプレイを固定するのに屈強な固定構造が必要となって製造コストが高騰するという課題がある。また、引用文献２のディスプレイ支持構造では、ディスプレイの重量が大きくなると、支持構造全体が倒れやすくなる等の課題が生じる。
【０００６】
また、このようなディスプレイ支持装置は、病人などに使用してもらう場合も想定されるが、そのような場合には、手を使わずに簡単にディスプレイの操作を行えるような構成が付加されていると、なお好ましいと考えられた。
【０００７】
この発明の目的は、比較的に重量のあるディスプレイであっても安定的に保持することができ、横になっての映像視聴に最適な位置にディスプレイを配置することのできるディスプレイ支持装置を提供する。
【０００８】
この発明の他の目的は、手を使わずに簡単にディスプレイの操作を行うことのできるディスプレイ支持装置を提供することにある。
【課題を解決するための手段】
【０００９】
本発明は、上記目的を達成するため、ディスプレイを支持するディスプレイ支持装置であって、弧状に曲がった形状で先端側にディスプレイを保持する保持部が設けられた第１アームと、この第１アームの根元部が連結される連結部、該連結部を中央に左右水平方向に伸びる第１フレーム、および、水平方向の前記第１アームが伸びる側に伸びる第２フレームを有する土台とを備え、前記連結部は、前記第１アームを鉛直軸を中心とした回転方向に回動可能とし、且つ、前記第１アームに沿った前後方向に屈曲可能な構成とした。
【００１０】
好ましくは、前記連結部に、前記第１アームの前方への屈曲に対して一定位置で停止するようにストッパーを設けると良い。
【００１１】
さらに好ましくは、前記第１アームに、前記保持部のある側から反対側に伸びる第２アームが設けられ、この第２アームの先端にバランス錘が付加可能な構成とすると良い。
【００１２】
また、本発明は、上記目的を達成するため、ディスプレイを支持するディスプレイ支持装置であって、長さ変更が可能であり部屋の床面と天井面との間に突っ張って固定される支柱と、該支柱に根元部が固定され先端側に前記ディスプレイを保持する保持部を有したアームとを備えた構成とすると良い。
【００１３】
好ましくは、人の目又は口の開閉を検出する検出手段と、該検出手段の検出に基づいて前記ディスプレイの受信チャンネルの切り換えおよび／または音量調整を行う操作手段とを備えた構成とすると良い。
【００１４】
このような構成を付加することで、ユーザは横になった状態でリモコンを捜すといった面倒な動作を要求されず、目や口の開閉といった簡単な動作でディスプレイの操作を行うことが出来る。
【００１５】
具体的には、ユーザに装着させるゴーグルを備え、前記検出手段は、前記ゴーグルの第１の縁部に設けられユーザの目の位置へ赤外線を照射する赤外線発光部と、前記ゴーグルの第２の縁部に設けられユーザの目の位置から赤外線の反射光量を検出する光センサとからなり、前記操作手段は、前記光センサの検出出力に応じてリモコン信号を生成する制御回路と、前記リモコン信号を出力する信号出力部とから構成することが出来る。
【００１６】
また、具体的には、前記検出手段は、前記ディスプレイのフレームに取り付け可能で当該ディスプレイの正面側に赤外線を照射する赤外線発光部と、前記ディスプレイのフレームに取り付け可能で当該ディスプレイの正面側から赤外線の反射光量を検出する光センサとから構成することも出来る。
【００１７】
さらに、具体的には、前記検出手段は、ディスプレイのフレームに取り付け可能で当該ディスプレイの正面側を映像として取り込む映像取込手段と、前記映像取込手段により取り込まれた映像から人の口又は目の位置、並びに、この口又は目の開閉動作を認識する画像認識手段とから構成するようにしても良い。
【発明の効果】
【００１８】
本発明に従うと、比較的に重量のあるＦＰＤであっても、アームを介して構造的に安定した状態でＦＰＤを適宜な位置に支持することができる。また、特別に屈強を要する部分を必要としないことから、低コストにディスプレイ支持装置を提供することができるという効果がある。
【発明を実施するための最良の形態】
【００１９】
以下、本発明の実施の形態を図面に基づいて説明する。
【００２０】
［第１実施形態］
図１は、本発明の第１実施形態のディスプレイ支持装置１の構成を示す斜視図、図２はその側面図である。
【００２１】
第１の実施の形態のディスプレイ支持装置１は、先端側にＦＰＤ８０を保持する第１アーム１０と、床面などに置かれてこの第１アーム１１を支える土台２０と、第１アーム１０の途中の部位からＦＰＤ８０のある側の逆方向に伸びるように設けられた第２アーム１５等から構成される。
【００２２】
第１アーム１０は、弧状に曲げられて一方向に長い形状で、一定の荷重が先端側にかかることで、粘りを有してわずかに撓ることで、先端側の荷重変化がダイレクトでなく多少緩衝されて根元部に伝わるようになっている。第１アーム１０の先端側には、ＦＰＤ８０をネジ止着して保持する保持プレート（保持部）１２が設けられている。
【００２３】
土台２０は、第１アーム１０の根元部を連結する連結部２２と、この連結部２２を中央に配置して左右水平方向に伸びる第１フレーム２４，２４と、第１フレーム２４，２４から第１アーム１０の伸びる側に水平方向に伸びる第２フレーム２５，２５とを備えて構成される。第１フレーム２４，２４と第２フレーム２５，２５は、薄い平板形状をしており、これらの上に布団等を敷いたときに床面との間で大きな段差が生じないようになっている。
【００２４】
連結部２２は、第１アーム１０の根元部を軸支する軸受け２２Ａ，２２Ａと、第１アーム１０が一定角度より手前側に屈曲しないように係止するストッパー２２Ｃと、これら軸受け２２Ａ，２２Ａとストッパー２２Ｃを含む円形部分を第１フレーム２４，２４に対して回動可能な状態に係合させた回動継手２２Ｄ等から構成される。軸受け２２Ａ，２２Ａの間には、回動軸２２Ｂを介して第１アーム１０の根元部が挟まれた状態に軸支され、それにより、第１アーム１０が回動軸２２Ｂを中心に前後方向に屈曲可能にされている。また、回動継手２２Ｄがその円周方向に回動することで、第１アーム１０や第２アーム１５が鉛直な軸を中心に回動するようになっている。
【００２５】
第２アーム１５は、連結部２２より後方に張り出すとともに、その後端部にバランス錘１６が取り付け可能にされている。これにより、第１アーム１０の先端に重量のあるＦＰＤ８０が取り付けられた場合でも、バランス錘１６とのつりあいによって、連結部２２にかかるトルクが軽減されるようになっている。
【００２６】
図３には、ディスプレイ支持装置１の使用状態の一例を表わした説明図を示す。
【００２７】
上記のように構成されたディスプレイ支持装置１によれば、図３に示すように、土台２０の第２フレーム２５，２５を布団９０と床との間に挟み込み、且つ、布団９０の頭部側に土台２０の第１フレーム２４，２４や連結部２２が来るように配置する。そして、第１アーム１０を布団９０の上方に伸ばした状態で使用する。この場合、ユーザは布団の上で第１アーム１０とＦＰＤ８０の下側に入り込んだ状態で横になり、自然な姿勢で視線の先にＦＰＤ８０の画面を配置させることが出来る。
【００２８】
また、ユーザが布団から起き上がる際には、ユーザがＦＰＤ８０や第１アーム１０を軽く横方向に押すことで、連結部２２の回転継手２２Ｄが回動し、ＦＰＤ８０や第１アーム１０を横向きに回動させることが出来る。それにより、ユーザの頭上の空間が解放されて、何らの障害なくユーザが起き上がることが可能となる。
【００２９】
図４には、第１実施形態のディスプレイ支持装置１に付属するゴーグル型リモコン装置３０を表わした図を示す。図５は、ゴーグル型リモコン装置による目の開閉の検出方式を説明する側断面図である。
【００３０】
ゴーグル型リモコン装置３０は、目の周囲と両耳にかけて張り渡されるメガネフレームのようなフレーム体３１と、フレーム体３１の一部分に取り付けられる回路ボックス３２と、ゴーグル型リモコン装置３０を装着した状態のユーザの瞳に対して赤外線を出力する赤外線発光部３６と、この瞳から反射される赤外線を検出する赤外線センサ３７等から構成される。なお、フレーム体３１にはレンズ等ははめられてなく、瞳の前方は開放されたものとなっている。
【００３１】
赤外線発光部３６と赤外線センサ３７は、フレーム体３１の片側の目に対応する上側のフレーム部位と下側のフレーム部位とにそれぞれ固着されている。そして、赤外線発光部３６からは、所定周期で点滅されるパルス波状の赤外線がユーザの瞳に向けて出力され、赤外線センサ３７によりユーザが目を開けている状態において瞳から反射されるパルス波状の赤外線が検出されるようになっている。このような構成により、ユーザが目を開けていることで、パルス波状の赤外線が検出され、ユーザが目を閉じることで、パルス波状の赤外線が連続的に非検出となるので、この赤外線センサ３７の検出信号に基づいてユーザの目の開閉動作を検出することが可能となる。
【００３２】
回路ボックス３２には、バッテリー、赤外線発光部３６や赤外線センサ３７の駆動回路、リモコン信号を出力する発光素子とレンズ３３、並びに、各部の統括的な制御を行う制御回路等が内蔵されている。制御回路は、赤外線センサ３７の検出出力を監視して、例えば、目の特定の開閉動作がなされたことの検出処理、目の特定の開閉動作に対応する受信チャンネルの変更や音量変更などのリモコン信号の生成処理、このリモコン信号で発光部を駆動してリモコン信号をレンズ３３から出力する処理などを行う。
【００３３】
制御回路により検出させる目の特定の開閉動作とは、例えば、目の瞬きと区別されるように、比較的に長時間（例えば０．５秒〜１．０秒）だけ目が閉じられた状態として設定すると良い。また、このような目の開閉動作が、連続的に２回、３回、４回と行われる回数を制御回路によりカウントさせる。そして、このような目の開閉動作が複数回行われた場合に、その回数に応じて、例えば２回ならチャンネル変更、３回なら音量アップ、４回なら音量ダウンなどのリモコン信号をパターンメモリから読み出して、この信号により発光素子を駆動してレンズ３３からリモコン信号を出力させる。
【００３４】
このような制御処理により、目の特定の開閉動作によって、ＦＰＤ８０又はこのＦＰＤ８０に映像信号や音声信号を供給している図示しないチューナ装置へリモコン信号が送信され、それにより、ＦＰＤ８０に出力されているチャンネル変更や音量の変更がなされるようになっている。
【００３５】
以上のように、この実施形態のディスプレイ支持装置１によれば、弧状に曲がった形状でやや撓るようにされた第１アーム１０、床面に沿って縦横の方向に広がって伸びる土台２０、ＦＰＤ８０とのつり合いにより連結部２２に係るトルクを軽減する第２アーム１５とバランス錘１６の各構成により、比較的重量のあるＦＰＤ８０であっても安定した状態で適宜な位置にＦＰＤ８０を支持することが出来る。また、例えば、連結部に大きなトルクがかかる構造と比較して、連結部に特別な屈強を要する部材が不要となるので、ディスプレイ支持装置１のコストの低減も図ることが出来る。
【００３６】
また、連結部２２にストッパー２２Ｃが設けられ、第１アーム１０が前方に倒れてＦＰＤ８０がユーザの箇所に落ちてくることがない構造になっているので、ユーザも安心して映像鑑賞を行うことができる。
【００３７】
また、ゴーグル型リモコン装置３０によって、目の開閉といった簡単な動作で受信チャンネルの切り替えや音量の切り替えを行うことが出来るので、ユーザは横になった状態でリモコンを捜すといった面倒から開放され、簡単な動作でディスプレイの操作を行うことが出来る。病院などで、手が使えない状態のときなどには、このような操作方法はより効果的である。
【００３８】
［第２実施形態］
図６は、本発明の第２実施形態のディスプレイ支持装置１Ｂの構成を示す斜視図である。
【００３９】
第２実施形態のディスプレイ支持装置１Ｂは、部屋の天井Ｓと床Ｆの間に固定される支柱４１と、一端側が支柱４１に固定され他端側にＦＰＤ８０が保持されるアーム４２とから構成される。
【００４０】
支柱４１は、部屋の天井Ｓと床Ｆとの距離とほぼ同等の全長を有するとともに、バネで先端部に圧力が加えられた状態で僅かに長さが可変にされ、天井Ｓと床Ｆとの間に突っ張らせて固定するものである。
【００４１】
アーム４２は、屈曲可能な連結部４２ａを途中に設けて、この連結部４２ａを曲げることでＦＰＤ８０の位置調整を行えるような構成としても良い。アーム４２と支柱４１との固定部は、例えば、アーム４２の端部に支柱４１を中に通す軸受け４２ｂを設け、この軸受け４２ｂに支柱４１を通すとともに、軸受け４２ｂの外側から内側の支柱４１に向けて固定ネジを差し込むことで、支柱４１に軸受け４２ｂが固定される構成を適用できる。また、軸受け４２ｂを片側が開放されたＵの字形状に設け、その開放側をネジ等で止着して軸受け４２ｂが支柱４１を締め付ける形で、軸受け４２ｂが支柱４１に固定される構成を適用することもできる。
【００４２】
このように構成された第２実施形態のディスプレイ支持装置１Ｂによっても、ＦＰＤ８０をアーム４２により安定的に支持することが出来るという効果が得られる。すなわち、支柱４１が部屋の天井Ｓと床Ｆとの間に突っ張られた状態で固定される構造なので、比較的重量のあるＦＰＤ８０であっても、ディスプレイ支持装置１Ｂ全体が倒れたりすることがなく、低コストな部材を用いても、確実で安定的なＦＰＤ８０の支持を実現することが出来る。
【００４３】
なお、本発明は、上記実施の形態に限られるものではなく、様々な変更が可能である。
【００４４】
図７には、リモコン装置におけるユーザの顔のパーツの動作を検出する手段の第２例を表わした斜視図を示す。
【００４５】
例えば、第１の実施形態では、ユーザの目の開閉動作を検出するのにゴーグル型リモコン装置３０に赤外線発光部３６と赤外線センサ３７とを設けた例を示したが、図７に示すように、赤外線発光部３６Ｂと赤外線センサ３７ＢをＦＰＤ８０のフレーム部８１に取り付けるように構成しても良い。
【００４６】
人の瞳は赤外線の反射量が非常に高いため、赤外線センサ３７Ｂをある程度離れた箇所に設置しても、ある程度の指向性を有する集光レンズを付加して赤外線を検出することで、その検出光量により赤外線センサ３７の先に人の瞳が開いた状態であるのか無いのかを検知することが出来る。それにより、第１実施形態で示したのと同様に、ユーザの目の開閉動作によりＦＰＤ８０のリモコン操作を実現することができる。
【００４７】
また、図８には、リモコン装置におけるユーザの顔のパーツの動作を検出する手段の第３例を表わした斜視図を示す。
【００４８】
さらに、第１実施形態や上述の例では、リモコン制御のために目の開閉運動を赤外線の反射光により検出する構成を示したが、例えば、デジタルカメラ（映像取込手段）５１をＦＰＤ８０のフレーム部８１に取り付け、さらに、このデジタルカメラ５１の映像から画像認識を行うマイクロコンピュータを備えて、ＦＰＤ８０のリモコン制御を行うようにすることも出来る。
【００４９】
すなわち、上記マイクロコンピュータにより、デジタルカメラ５１の映像からユーザの顔の位置と輪郭を認識させ、そこからユーザの目や口の位置ならびにその動作を認識させて、目や口の開閉運動の有無を検出させる。そして、所定の開閉運動があったら、その回数等により、ＦＰＤ８０のチャンネル切換や音量切換のリモコン信号を出力させるようにする。
【００５０】
このような構成によっても、ユーザは横になった状態でリモコンを捜すといった面倒から開放されて、労力なくＦＰＤ８０の操作を行うことが出来る。病院などで手が不自由な場合にも容易にＦＰＤ８０の操作を行うことが出来るという効果が得られる。
【００５１】
その他、上記実施の形態で示した細部構造等は、発明の趣旨を逸脱しない範囲で適宜変更可能である。
【図面の簡単な説明】
【００５２】
【図１】本発明の第１実施形態のディスプレイ支持装置を示す斜視図である。
【図２】第１実施形態のディスプレイ支持装置を示す側面図である。
【図３】第１実施形態のディスプレイ支持装置の使用状態の一例を表わした説明図である。
【図４】第１実施形態のディスプレイ支持装置に付属するゴーグル型リモコン装置をユーザが装着した状態を示す図である。
【図５】ゴーグル型リモコン装置による目の開閉の検出方式を表わした側断面図である。
【図６】本発明の第２実施形態のディスプレイ支持装置１Ｂの構成を示す斜視図である。
【図７】リモコン装置におけるユーザの顔のパーツの動作を検出する手段の第２例を表わした斜視図である。
【図８】リモコン装置におけるユーザの顔のパーツの動作を検出する手段の第３例を表わした斜視図である。
【符号の説明】
【００５３】
１，１Ｂ    ディスプレイ支持装置
１０        第１アーム
１５        第２アーム
１６        バランス錘
２０        土台
２２        連結部
２２Ｃ      ストッパー
２４        第１フレーム
２５        第２フレーム
３０        ゴーグル型リモコン装置
３１        フレーム体
３２        回路ボックス
３３        リモコン信号出力用のレンズ
３６，３６Ｂ  赤外線発光部
３７，３７Ｂ  赤外線センサー
４１        支柱
４２        アーム
５１        デジタルカメラ（映像取込手段）
【図１】
2009047890.tif 000003
【図２】
2009047890.tif 000004
【図３】
2009047890.tif 000005
【図４】
2009047890.tif 000006
【図５】
2009047890.tif 000007
【図６】
2009047890.tif 000008
【図７】
2009047890.tif 000009
【図８】
2009047890.tif 000010